(57)【要約】【課題】  ディスク再生装置において、操作円盤部を操作したとき操作円盤部と円盤部が一緒に回転した場合であっても特殊再生を行う。【解決手段】  ディスク再生装置において、ディスクから読み取ったオーディオデータを記憶する記憶部と、記憶部からの読み出し速度及び順序を指示する操作円盤部と、操作円盤部を載置する円盤部と、円盤部を回転駆動する駆動部と、円盤部の回転速度を予め定められた回転速度に制御し、操作円盤部と円盤部の回転速度差が予め定めた閾値を超えたとき操作円盤部の回転速度及び方向に従って記憶部からの読み出し速度及び順序を制御し、操作円盤部と円盤部の回転速度差が予め定めた閾値以下であって操作円盤部の回転速度と前記円盤部の予め定められた回転速度との差が予め定められた閾値を超えたとき操作円盤部の回転速度及び方向に従って記憶部からの読み出し速度及び読み出し順序を制御する制御部を備える。【選択図】      図１
2006092617.tif 000002
【特許請求の範囲】
【請求項１】
ディスクに記録されたオーディオデータを読み取る読取部と、前記読取部が読み取ったオーディオデータを記憶する記憶部と、前記記憶部が記憶したオーディオデータの読み出し速度及び読み出し順序を指示する操作円盤部と、前記操作円盤部を載置する円盤部と、前記円盤部を回転駆動する駆動部と、前記操作円盤部の回転速度及び回転方向を検出する第１検出部と、前記円盤部の回転速度を検出する第２検出部と、前記第２検出部が検出した前記円盤部の回転速度を予め定められた回転速度に制御し、前記第１検出部が検出した回転速度と前記第２検出部が検出した回転速度との差が予め定められた閾値を超えたとき前記第１検出部が検出した前記操作円盤部の回転速度及び回転方向に従って前記記憶部が記憶したオーディオデータの読み出し速度及び読み出し順序を制御し、前記第１検出部が検出した回転速度と前記第２検出部が検出した回転速度との差が予め定められた閾値以下であって前記第１検出部が検出した回転速度と前記円盤部の予め定められた回転速度との差が予め定められた閾値を超えたとき前記第１検出部が検出した前記操作円盤部の回転速度及び回転方向に従って前記記憶部が記憶したオーディオデータの読み出し速度及び読み出し順序を制御する制御部とを備えることを特徴とするディスク再生装置。
【発明の詳細な説明】
【技術分野】
【０００１】
本発明は、ディスクに記録されたオーディオデータを読み出してメモリに記憶し、メモリに記憶したオーディオデータの読み出し速度及び読み出し順序を操作円盤部の操作によって制御するディスク再生装置に関する。
【背景技術】
【０００２】
オーディオ再生装置を操作してオーディオデータを再生するＤＪ（Disc Jockey）は、アナログレコードまたはＣＤ（Compact Disc）等の光ディスクに記録されたオーディオデータを再生している最中に、擦れ音のような効果音を発生させるスクラッチ再生と呼ばれる特殊再生を行うことがある。ＤＪは、アナログレコードを用いてスクラッチ再生を行う場合、アナログレコードを素早く正方向又は逆方向に回すことにより擦れ音を発生させる。また、このアナログレコードによるスクラッチ再生と同様の特殊再生を行うことが可能なＤＪ用のディスク再生装置プレーヤがある。
【０００３】
このディスク再生装置は、ジョグダイヤルとメモリを備えていて、ＣＤ等のディスクから読み出したオーディオデータをメモリに記憶し、ジョグダイヤルを正方向又は逆方向に回すことにより、メモリに記憶されたオーディオデータの読み出し速度と読み出し順序を制御し、アナログレコードによる擦れ音と同等の効果音を発生させる。このように、ＤＪは、ディスクに記録されたオーディオデータを再生しているとき、ジョグダイヤルをアナログレコードと同じように回転操作することにより、アナログレコードと同様のスクラッチ再生等の特殊再生を行うことができる。
【０００４】
上記のようなディスク再生装置では、ジョグダイヤルが操作されない場合、ディスクに記録されたオーディオデータを標準速度で再生（以下、通常再生という。）する。ジョグダイヤルが回転操作された場合、ディスク再生装置は、ジョグダイヤルの回転速度及び回転方向を検出し、検出した回転速度及び回転方向に応じて、ディスクから再生しメモリに記憶したオーディオデータの読み出し速度及び読み出し順序を変える特殊再生を行う（特許文献１参照）。
【０００５】
特許文献１のディスク再生装置のジョグダイヤルは、予め定められた速度で回転する円盤部と、円盤部の上に載置されたシート部と、シート部の上に載置された操作円盤部を備えている。ディスク再生装置がディスクを再生するとき、円盤部、シート部、及び操作円盤部は、予め定められた速度で回転する。操作者は、操作円盤部を正方向又は逆方向に回すことにより、ディスクから再生しメモリに記憶したオーディオデータの読み出し速度及び読み出し順序を変える特殊再生の操作を行う。ディスク再生装置において、このような特殊再生を行う場合、操作円盤部の回転方向及び回転速度と円盤部の回転方向及び回転速度との差を検出すると、通常再生から特殊再生に再生モードを切り換える制御を行う場合がある。
【０００６】
【特許文献１】特開２００３−３４６４６９公報
【発明の開示】
【発明が解決しようとする課題】
【０００７】
操作円盤部の回転方向及び回転速度と円盤部の回転方向及び回転速度との差を検出することによって通常再生から特殊再生に再生モードを切り換える制御を行うディスク再生装置において、ＤＪがジョグダイヤルの操作円盤部を回転操作して特殊再生を行おうとしたとき、ＤＪが操作円盤部を操作するために上から押す力と、操作円盤部、シート部、及び円盤部の相互間の摩擦力とによって、操作円盤部、シート部、及び円盤部が一緒に回転してしまうことがあった。操作円盤部、シート部、及び円盤部が一緒に回転すると、操作円盤部の回転方向及び回転速度と円盤部の回転方向及び回転速度との差が生じないため、ディスク再生装置は、再生モードを特殊再生に切り換えないため、ＤＪの意思に反して通常再生が続行されてしまう。
【０００８】
本発明の目的は、操作円盤部の回転方向及び回転速度と円盤部の回転方向及び回転速度との差を検出することによって通常再生から特殊再生に再生モードを切り換える制御を行うディスク再生装置において、使用者が操作円盤部を操作したとき、操作円盤部、シート部、及び円盤部が一緒に回転した場合であっても、特殊再生を行うことができる装置を提供することにある。
【課題を解決するための手段】
【０００９】
本発明の請求項１に記載のディスク再生装置は、ディスクに記録されたオーディオデータを読み取る読取部と、前記読取部が読み取ったオーディオデータを記憶する記憶部と、前記記憶部が記憶したオーディオデータの読み出し速度及び読み出し順序を指示する操作円盤部と、前記操作円盤部を載置する円盤部と、前記円盤部を回転駆動する駆動部と、前記操作円盤部の回転速度及び回転方向を検出する第１検出部と、前記円盤部の回転速度を検出する第２検出部と、前記第２検出部が検出した前記円盤部の回転速度を予め定められた回転速度に制御し、前記第１検出部が検出した回転速度と前記第２検出部が検出した回転速度との差が予め定められた閾値を超えたとき前記第１検出部が検出した前記操作円盤部の回転速度及び回転方向に従って前記記憶部が記憶したオーディオデータの読み出し速度及び読み出し順序を制御し、前記第１検出部が検出した回転速度と前記第２検出部が検出した回転速度との差が予め定められた閾値以下であって前記第１検出部が検出した回転速度と前記円盤部の予め定められた回転速度との差が予め定められた閾値を超えたとき前記第１検出部が検出した前記操作円盤部の回転速度及び回転方向に従って前記記憶部が記憶したオーディオデータの読み出し速度及び読み出し順序を制御する制御部とを備えるものである。
【発明の効果】
【００１０】
本発明のディスク再生装置によれば、操作円盤部の回転方向及び回転速度と円盤部の回転方向及び回転速度との差を検出することによって通常再生から特殊再生に再生モードを切り換える制御を行うディスク再生装置において、使用者が操作円盤部を操作したとき、操作円盤部及び円盤部が一緒に回転した場合であっても、特殊再生を行うことができる。
【発明を実施するための最良の形態】
【００１１】
図１は、本発明のディスク再生装置の一実施例の構成を示すブロック図である。図１に示すディスク再生装置は、操作部１５に読出指示部としての操作円盤部２０を備え、操作円盤部２０の回転速度及び回転方向に応じて、ＣＤ３からデジタルオーディオデータを読み出しＲＡＭ９に記憶したデジタルオーディオデータの読み出し速度及び読み出し順序を制御する機能を備えたＤＪ用のＣＤプレーヤである。
【００１２】
スピンドルモータ２に固定されたターンテーブル１は、ＣＤ３を固定する。操作部１５によって再生開始の指示が入力されると、サーボ制御部４は、スピンドルモータ２を予め定められた線速度で回転駆動させる制御を開始する。また、サーボ制御部４は、光ピックアップ５がＣＤ３に照射するレーザ光をＣＤ３のピット列に正しくトレースさせるために、光ピックアップ５の図示しないフォーカスサーボ回路とトラッキングサーボ回路を制御する。
【００１３】
再生アンプ６は、光ピックアップ５が読み出したデジタルオーディオデータを波形整形及び増幅し、信号処理部７に入力する。信号処理部７は、デジタルオーディオデータの復調、フォーカスエラー信号、トラッキングエラー信号等のエラー信号、及び同期信号の抜き出しをして、デジタルオーディオデータをメモリ制御部８に入力する。メモリ制御部８は、入力されたデジタルオーディオデータをＲＡＭ（Random Access Memory）９に入力させる制御を行う。ＲＡＭ９は、入力されたデジタルオーディオデータを記憶する。ＲＡＭ９が記憶したデジタルオーディオデータは、メモリ制御部８の制御により読み出され、ＤＡＣ（Digital to Analog Converter）１０に入力される。
【００１４】
ＤＡＣ１０は、入力されたデジタルオーディオデータをアナログオーディオ信号に変換し、アンプ１１に入力する。アンプ１１は、アナログオーディオ信号を増幅し、出力端子１２に接続されたスピーカに出力する。制御部１３は、サーボ制御部４、信号処理部７、メモリ制御部８を制御する。表示部１４は、制御部１３に接続され、現在再生しているトラックの再生時間、トラック番号等を表示する。操作部１５は、制御部１３に接続され、操作円盤部２０、再生開始ボタン、再生停止ボタン、イジェクトボタン等を備えている。
【００１５】
図２は、本発明の一実施例のＣＤプレーヤの操作部１５が備える操作円盤部２０の断面を示す図である。
操作円盤部２０は、本実施例のディスク再生装置のパネル２９の上面に備えられている。パネル２９の下面にモータ２１が固定され、モータ２１の回転軸２２に固定保持部２３が固定されている。保持部２４は、固定保持部２３の上面に載置されている。この保持部２４は、摩擦係数の大きい部材であり、例えばゴム等の弾性体である。円盤部２５は、保持部２４の上面に載置されている。
【００１６】
この円盤部２５の裏面には、スリット部２５ａが設けられている。スリット部２５ａは、例えば、円盤部２５と同材質であり、等間隔に長方形状の開口部を設けたリング状の板である。シート部２６は、円盤部２５の上面に載置されている。このシート部２６は、摩擦係数が小さく、静電気が発生しにくい樹脂材料等からなる。操作円盤部２７は、シート部２６の上面に載置されている。この操作円盤部２７の外周部には、等間隔に長方形状の開口部を備えたスリット部２７ａが設けられている。ストッパー部２８は、保持部２４、円盤部２５、シート部２６及び操作円盤部２７が回転軸２２から外れないように、回転軸２２に固定されている。
【００１７】
第１光センサ部３０は、操作円盤部２７の回転方向及び回転速度を検出するために２個の光センサによって構成され、スリット部２７ａの開口部を検出できるようにパネル２９に固定されている。同様に、第２光センサ部３１は、２個の光センサによって構成され、スリット部２５ａの開口部を検出できるようにパネル２９に固定されている。
第１光センサ部３０は、操作円盤部２７のスリット部２７ａの開口部を検出し、操作円盤部２７の回転状態（回転速度及び回転方向）に応じた第１パルス信号を発生し制御部１３に入力する。また、第２光センサ部３１は、円盤部２５のスリット部２５ａの開口部を検出し、円盤部２５の回転状態に応じた第２パルス信号を発生し制御部１３に入力する。
【００１８】
制御部１３は、第１光センサ部３０から入力された第１パルス信号に応じて、ＲＡＭ９に記憶されたデジタルオーディオデータの読み出し速度及び順序を判別し、メモリ制御部７を制御する。また、制御部１３は、第２光センサ部３１から入力される第２パルス信号から、円盤部２５の回転速度及び回転方向を予め定められた速度（例えば、アナログレコードプレーヤのターンテーブルの角速度と同じ速度）及び予め定められた回転方向（例えば、アナログレコードプレーヤのターンテーブルの回転方向と同じ方向（時計回り））として回転させるようにモータ２１を制御する。
【００１９】
本実施例のディスク再生装置は、ＣＤ３に記録されたオーディオデータを再生する場合、モータ２１は、予め定められた回転速度及び回転方向で回転する。モータ２１が予め定められた回転速度及び回転方向で回転しているとき、保持部２４、円盤部２５、シート部２６、及び操作円盤部２７は、同じ速度で回転する。モータ２１の回転方向は、アナログレコードプレーヤのターンテーブルの回転方向（時計回り）と同じ方向である。
【００２０】
制御部１３は、第１光センサ部３０から一定時間に入力された第１パルス信号のパルス数から操作円盤部２７の回転速度を判別する。また、制御部１３は、第２光センサ部３１から一定時間に入力された第２パルス信号のパルス数から円盤部２５の回転速度を判別する。制御部１３は、操作円盤部２７の回転速度と円盤部２５の回転速度との差を算出し、算出した差が予め定められた閾値以内である場合、制御部１３は、メモリ制御部８に通常再生時の読み出し速度でＲＡＭ９からデジタルオーディオデータを読み出させる制御をする。ここで前記閾値は、円盤部２５の回転速度の許容誤差、円盤部２５の回転速度の検出誤差、及び操作円盤部２７の回転速度の検出誤差を考慮して、本実施例では予め定められた回転速度に対して±１％として、製造者が予め設定している。
【００２１】
予め定められた速度で回転している操作円盤部２７の速度を変える操作を行う場合におけるディスク再生装置の再生動作について説明する。
ＤＪは、予め定められた速度で回転している操作円盤部２７を手で予め定められた速度より速く回転させて回転速度を徐々に速くする。制御部１３は、操作円盤部２７の回転速度と円盤部２５の回転速度との差を算出し、算出した差が予め定められた回転速度に対して＋１％の範囲を超えたとき、制御部１３は、メモリ制御部８に、ＲＡＭ９から読み出すデジタルオーディオデータの速度を速くする制御をさせる。
【００２２】
また、制御部１３は、操作円盤部２７の回転速度と円盤部２５の回転速度との差が予め定められた回転速度に対して＋１％を超えない場合であっても、操作円盤部２７の回転速度と予め定められた回転速度との差が予め定められた回転速度に対して＋１％を超えたとき、制御部１３は、メモリ制御部８に、ＲＡＭ９から読み出すデジタルオーディオデータの速度を速くする制御をさせる。従って、使用者が操作円盤部２７を操作したときに、操作円盤部２７、シート部２６、及び円盤部２５が一緒に回転した場合であっても、直ちに特殊再生を行うことができる。
【００２３】
操作円盤部２７の回転速度が変化すると、第１光センサ部３０から一定時間に発生する第１パルス信号のパルス数は、操作円盤部２７の回転速度に応じて変化する。制御部１３は、第１光センサ部３０から一定時間に入力された第１パルス信号のパルス数から操作円盤部２７の回転速度を判別する。制御部１３は、判別した操作円盤部２７の回転速度に応じて、メモリ制御部８に、ＲＡＭ９から読み出すデジタルオーディオデータの速度を制御させる。
【００２４】
また、ＤＪは、予め定められた速度で回転している操作円盤部２７に手を乗せ回転速度を徐々に遅くする。制御部１３は、操作円盤部２７の回転速度と円盤部２５の回転速度との差が予め定められた回転速度に対して−１％を超えた場合、制御部１３は、メモリ制御部８に、ＲＡＭ９から読み出すデジタルオーディオデータの速度を遅くする制御をさせる。
【００２５】
また、制御部１３は、操作円盤部２７の回転速度と円盤部２５の回転速度との差が予め定められた回転速度に対して−１％を超えない場合であっても、操作円盤部２７の回転速度と予め定められた回転速度の差が予め定められた回転速度に対して−１％を超えた場合、制御部１３は、メモリ制御部８に、ＲＡＭ９から読み出すデジタルオーディオデータの速度を遅くする制御をさせる。従って、使用者が操作円盤部２７を操作したときに、操作円盤部２７、シート部２６、及び円盤部２５が一緒に回転した場合であっても、直ちに特殊再生を行うことができる。
【００２６】
操作円盤部２７の回転速度が変化すると、第１光センサ部３０から一定時間に発生する第１パルス信号のパルス数は、操作円盤部２７の回転速度に応じて変化する。制御部１３は、第１光センサ部３０から一定時間に入力された第１パルス信号のパルス数から操作円盤部２７の回転速度を判別する。制御部１３は、判別した操作円盤部２７の回転速度に応じて、メモリ制御部８に、ＲＡＭ９から読み出すデジタルオーディオデータの速度を制御させる。
【００２７】
操作円盤部２７の回転が停止したとき、第１光センサ部３０は、制御部１３に第１パルス信号を入力しない。制御部１３は、第１光センサ部３０から第１パルス信号の入力がない場合、メモリ制御部８にＲＡＭ９からデジタルオーディオデータの読み出しを停止する制御をする。
ＤＪが操作円盤部２７から手を離し操作を終了すると、操作円盤部２７は、円盤部２５が予め定められた速度で回転しているので、直ちに、予め定められた速度で回転を再開する。操作円盤部２７が予め定められた速度で回転を再開すると、制御部１３は、メモリ制御部８に通常再生時の読み出し速度でＲＡＭ９からデジタルオーディオデータを読み出す制御をする。
【００２８】
操作円盤部２７を予め定められた速度で回転している方向と逆方向に回転させる場合におけるディスク再生装置の再生動作について説明する。
ＤＪは、手で予め定められた速度で回転している操作円盤部２７を逆方向（反時計回り）に回転させる。第１光センサ部３０は２個の光センサを備えていて、操作円盤部２７の回転方向が変化すると、この２個の光センサから発生するパルス信号の位相差は、操作円盤部２７の回転方向に応じて変化する。制御部１３は、この２個の光センサから入力された第１パルス信号の位相差から操作円盤部２７の回転方向を判別する。また、制御部１３は、第１光センサ部３０から一定時間に入力された第１パルス信号のパルス数から操作円盤部２７の回転速度を判別する。制御部１３は、判別した回転速度及び回転方向に応じて、メモリ制御部８を制御する。メモリ制御部８は、ＲＡＭ９ら読み出すデジタルオーディオデータの速度及び順序を制御する。
【００２９】
ＤＪが操作円盤部２７から手を離し操作を終了すると、操作円盤部２７は、円盤部２５が予め定められた速度で回転しているので、直ちに、予め定められた速度及び回転方向の回転を再開する。操作円盤部２７が予め定められた速度及び回転方向で回転を再開すると、制御部１３は、メモリ制御部８に通常再生時の読み出し速度でＲＡＭ９からデジタルオーディオデータを読み出させる制御をする。
【００３０】
本実施例において、操作円盤部２７を操作しているとき、予め定められた速度で回転している円盤部２５の回転速度が変化すると、制御部１３は、第２光センサ部３２から一定時間に入力された第２パルス信号のパルス数に応じて、円盤部２５の回転速度が予め定められた速度を保つようにモータ２１を制御する。
【図面の簡単な説明】
【００３１】
【図１】本発明のディスク再生装置の一実施例の構成を示すブロック図。
【図２】本発明の一実施例のディスク再生装置が備える操作円盤部の構成を示す図。
【符号の説明】
【００３２】
１  ターンテーブル
２  スピンドルモータ
３  ＣＤ
４  サーボ制御部
５  光ピックアップ
６  再生アンプ
７  信号処理部
８  メモリ制御部
９  ＲＡＭ
１０  ＤＡＣ
１１  アンプ
１２  出力端子
１３  制御部
１４  表示部
１５  操作部
２０  操作円盤部
２１  モータ
２２  回転軸
２３  固定保持部
２４  保持部
２５  円盤部
２５ａ  スリット部
２６  シート部
２７  操作円盤部
２７ａ  スリット部
２８  ストッパー部
２９  パネル
３０  第１光センサ部
３１  第２光センサ部
【図１】
2006092617.tif 000003
【図２】
2006092617.tif 000004